(57)【特許請求の範囲】
【請求項１】
ポータブルデバイスを接続可能であり、ポータブルデバイスに記録されたマルチメディアデータを再生可能なマルチメディア再生装置であって、
少なくとも１つのポータブルデバイスが接続されたとき、ポータブルデバイスを識別する識別情報と当該ポータブルデバイスに記録されたマルチメディアデータのタイトル情報との対応関係を記憶する記憶手段と、
前記記憶手段に記憶された前記対応関係に基づきポータブルデバイスのタイトル情報のリストを作成するリスト作成手段と、
作成されたリストをディスプレイに表示する表示手段と、
ポータブルデバイスが未接続となったとき、前記記憶手段の前記対応関係に基づき当該ポータブルデバイスに対応するリスト内のタイトル情報の表示を変更する表示変更手段と、
ポータブルデバイスの未接続状態が一定期間継続したとき、前記記憶手段の前記対応関係から未接続のポータブルデバイスの識別情報とタイトル情報を削除する削除手段と、
リスト内の表示変更されたタイトル情報が選択され、当該タイトル情報のマルチメディアデータを再生する指示があったとき、前記記憶手段に記憶された対応関係を参照して選択されたタイトル情報に対応するポータブルデバイスが未接続であることを報知する報知手段とを有し、
前記報知手段は、未接続のポータブルデバイスの識別情報を音声または視覚により報知する、
マルチメディア再生装置。
【請求項２】
前記記憶手段は、ポータブルデバイスの識別情報として、当該ポータブルメディアの外観形状を表す画像データを記憶する、請求項１に記載のマルチメディア再生装置。
【請求項３】
前記タイトル情報は、楽曲の曲名である、請求項１または２に記載のマルチメディア再生装置。
【請求項４】
ポータブルデバイスを接続可能であり、ポータブルデバイスに記録されたマルチメディアデータを再生可能なマルチメディア再生装置における再生方法であって、
ポータブルデバイスが接続されたとき、ポータブルデバイスを識別する識別情報と当該ポータブルデバイスに記録されたマルチメディアデータのタイトル情報との対応関係を記憶するステップと、
記憶された対応関係に基づきポータブルデバイスのタイトル情報のリストを作成するステップと、
作成されたリストをディスプレイに表示するステップと、
ポータブルデバイスが未接続となったとき、前記対応関係に基づき当該ポータブルデバイスに対応するリスト内のタイトル情報の表示を変更するステップと、
ポータブルデバイスの未接続状態が一定期間継続したとき、前記対応関係から未接続のポータブルデバイスの識別情報とタイトル情報を削除するステップと、
リスト内の表示変更されたタイトル情報が選択され、当該タイトル情報のマルチメディアデータを再生する指示があったとき、記憶された対応関係を参照して、選択されたタイトル情報に対応するポータブルデバイスが未接続であることを報知するステップとを有し、
前記報知するステップは、未接続のポータブルデバイスの識別情報を音声または視覚により報知する、
マルチメディア再生装置の再生方法。
【請求項５】
前記報知するステップは、識別情報としてポータブルデバイスの外観形状を表す画像をディスプレイに表示する、請求項４に記載の再生方法。
【発明の詳細な説明】
【技術分野】
【０００１】
本発明は、複数のポータブルデバイスを接続し、ポータブルデバイスに記録されたマルチメディアデータを再生することができるマルチメディア再生装置に関する。
【背景技術】
【０００２】
ＣＤ、ＤＶＤ、半導体メモリ、ハードディスク装置などの種々のポータブルメディアデバイスを接続し、そこに含まれるマルチメディアデータを再生するマルチメディア再生装置が実用化されている。例えば、車載用オーディオ・ビデオ装置では、メモリスティックやＳＤカード等のＩＣメモリを接続し、そこに格納されたオーディオデータを再生したり、ＤＶＤに記録されたビデオデータを再生する機能を備えている。
【０００３】
種々のポータブルデバイスを接続したとき、ポータブルデバイスにどのようなマルチメディアデータが記録されているのかを分からないと、ユーザーにとって非常に不便である。こうした問題を解決する方法が従来より幾つか提案されている。
【０００４】
特許文献１は、ＣＤ−Ｇがセットされると、曲名が記録されている冒頭部分の静止画像を読み込んで記憶し、この情報から曲名のリストを作成するものである。これにより、リスト作成の手間が省かれ、曲名選択時の利便性を図っている。
【０００５】
特許文献２は、複数の光ディスクを収納し、選択された光ディスクを再生するディスクチェンジャ装置に関し、収納されている光ディスクの位置とその識別情報（ディスクの種類やＴＯＣ情報など）を記憶し、記憶された情報に基づき曲名、歌手、ジャンル、発売年等の一覧をディスプレイに表示させ、そこから再生する曲の選択を可能にしている。
【０００６】
特許文献３は、異なるメディアに記録されたコンテンツを再生可能なディジタル複合再生装置に関し、電源投入時に、各メディアの再生可能なコンテンツを検索し、検索されたコンテンツからコンテンツ情報リストを作成し、これをディスプレイに表示させ、リストから再生するコンテンツの選択を可能にしている。これにより、異なるメディア間のコンテンツを再生するときに、動作モードを切替えるための操作が不要となる。
【０００７】
【特許文献１】特開平７−２４４９６５号
【特許文献２】特開平８−３１１２９号
【特許文献３】特開２００４−１５１１５号号
【発明の開示】
【発明が解決しようとする課題】
【０００８】
上記したように、ＣＤ、ＤＶＤ、ＩＣメモリカードなどのポータブルデバイスを接続し、各ポータブルデバイスに記録されたコンテンツを一元管理し、再生可能なコンテンツリストを表示し、リストからの再生を可能にしている。ポータブルデバイスは、例えば、ＵＳＢインターフェースにより本体に接続され、簡単に取り外したり、他のポータブルデバイスに変更することが可能である。仮に、ポータブルデバイスＡが取り外されると、そのデバイスＡに含まれるコンテンツは、リストから削除されたり、または表示がグレーアウトされ、デバイスＡのコンテンツは選択無効であることがユーザーに知らされる。
【０００９】
しかしながら、リスト内のコンテンツの表示がグレーアウトされたまま残り、このコンテンツをユーザー操作により選択できるシステムの場合、ユーザーは、そのコンテンツを再生するために、どのポータブルデバイスを再接続しなければならないのか容易に分からないという課題があった。
【００１０】
上記特許文献１ないし３は、メディアに記録されたコンテンツのリストを一元管理する技術を開示しているが、上記した課題を解決するための方法を示唆するものではない。
【００１１】
本発明は、上記従来の課題を解決するために成されたものであり、一元管理されたリストから所望のマルチメディアデータ（コンテンツ）の再生を指示するときに、接続に必要なポータブルデバイスを報知するマルチメディア再生装置およびその再生方法を提供することを目的とする。
【課題を解決するための手段】
【００１２】
本発明に係るマルチメディア再生装置は、ポータブルデバイスを接続可能であり、ポータブルデバイスに記録されたマルチメディアデータを再生可能であり、以下の構成を備える；少なくとも１つのポータブルデバイスが接続されたとき、ポータブルデバイスを識別する識別情報と当該ポータブルデバイスに記録されたマルチメディアデータのタイトル情報との対応関係を記憶する記憶手段と、前記記憶手段に記憶された前記対応関係に基づきポータブルデバイスのタイトル情報のリストを作成するリスト作成手段と、作成されたリストをディスプレイに表示する表示手段と、ポータブルデバイスが未接続となったとき、当該ポータブルデバイスに対応するリスト内のタイトル情報の表示を変更する表示変更手段と、リスト内の表示変更されたタイトル情報が選択され、当該タイトル情報のマルチメディアデータを再生する指示があったとき、前記記憶手段に記憶された対応関係を参照して選択されたタイトル情報に対応するポータブルデバイスが未接続であることを報知する報知手段とを有する。
【００１３】
好ましくは報知手段は、未接続のポータブルデバイスの識別情報をスピーカにより音声で報知したり、あるいはディスプレイに視覚により報知する。勿論、音声と視覚の双方により行うようにしてもよい。識別情報は、ポータブルデバイスの種類、機種名、メーカー名、あるいはＣＤやＤＶＤであれば、そのアルバム名やタイトル名であってもよい。タイトル情報は、例えば楽曲の曲名や映画のタイトルを含む。好ましくは、未接続のポータブルデバイスのリスト内のタイトル情報は、グレーアウト表示または反転表示されるが、これ以外にも他のタイトル情報と区別できる態様であればよい。
【００１４】
また記憶手段は、ポータブルデバイスの識別情報として、当該ポータブルメディアの外観形状を表す画像データを記憶するようにしてもよい。この画像データは、ポータブルデバイスの識別情報として報知される。画像データは、予めメモリに用意しておくことが望ましい。但し、ポータブルデバイスが接続されたとき、外部のデータベースやサーバから通信手段を介して画像データを取得するようにしてもよい。
【００１５】
マルチメディア再生装置はさらに、ポータブルデバイスの未接続状態が一定期間継続したときは、記憶手段の対応関係から未接続のポータブルデバイスの識別情報を削除する削除手段を有する。過去に接続されたことがあるポータブルデバイスであっても、一定期間内に再接続がないときには、接続がなかったものとしてその対応関係をリセットする。これにより、記憶手段の記憶スペースが減少するのを防止する。
【発明の効果】
【００１６】
本発明によれば、ユーザーが再生したいマルチメディアデータをリストから選択したときに、未接続のポータブルデバイスを報知することにより、再接続すべきポータブルデバイスを確実に認識することができる。
【発明を実施するための最良の形態】
【００１７】
本発明の最良の実施の形態について図面を参照して詳細に説明する。
【実施例】
【００１８】
図１は、本発明の実施例に係るオーディオ再生装置の構成を示すブロック図である。本実施例のオーディオ再生装置１０は、複数のポータブルデバイス３０を接続するためのＵＳＢコネクタ１２、ＵＳＢコネクタ１２と接続されたＵＳＢインターフェース（Ｉ／Ｆ）１４、ポータブルデバイス３０から読取られたディジタルオーディオ信号をアナログオーディオ信号に変換するディジタル／オーディオコンバータ（ＤＡＣ）１６、アナログオーディオ信号を増幅するアンプ１８、増幅されたオーディオ信号を可聴音に変換するスピーカ２０、ユーザーからの入力を受け取るロータリーエンコーダー等を含む入力部２２、ポータブルデバイスに記録されたオーディオ信号（楽曲）の曲名リスト等を表示するディスプレイ２４、種々のデータを格納するメモリ２６、および各部を制御するマイクロコントローラ２８を含んでいる。
【００１９】
ＵＳＢコネクタ１２は、それを準拠した接続端子をもつポータブルデバイス３０を接続することができる。ポータブルデバイス３０は、例えば、メモリスティックやＳＤカードのような半導体メモリ、ＣＤやＤＶＤなどのディスクドライブ装置、あるいはハードディスクドライブ装置などを接続することができる。
【００２０】
マイクロコントローラ２８は、内部のＲＡＭ／ＲＯＭにプログラムを格納し、このプログラムに従い、ポータブルデバイスに記録されたオーディオ信号を再生したり、ポータブルデバイスに記録された楽曲の曲名リストを作成し、そのリストをディスプレイ２４に表示する。さらにマイクロコントローラ２８は、リストに含まれる曲名が選択されたとき、当該曲名に対応するポータブルデバイスが未接続であれば、ポータブルデバイスを接続する旨のアナウンスを行うという特徴を備えている。
【００２１】
以下、この特徴を図２のフローチャートを参照して説明する。なお、ポータブルデバイスは、複数の楽曲のオーディオ信号を記録しているものとし、マイクロコントローラ２８はそれらの曲名リストの作成および表示を行う。
【００２２】
先ず、マイクロコントローラ２８は、ＵＳＢコネクタ１２に接続されているポータブルデバイスの有無をチェックする（ステップＳ１０１）。このチェックは、電源投入時またはポータブルデバイスが接続されたときに行われる。ポータブルデバイス３０の接続が確認されると、マイクロコントローラ２８は、ポータブルデバイス３０に記憶された再生可能な楽曲を検索する（ステップＳ１０２）。この検索により、どのポータブルデバイスがどの楽曲を記録しているかを判別することができる。マイクロコントローラ２８は、ポータブルデバイスの検索を実行したとき、ポータブルデバイスの識別情報を読取るとともに、ポータブルデバイスに記録されたそれぞれの楽曲についての曲名、アーチスト名、アルバム名、演奏時間など（以下、タイトル情報という）を読取り、各楽曲のタイトル情報とポータブルデバイスとの対応関係を示すテーブルを作成し（ステップＳ１０３）、これをメモリ２６に記憶する（ステップＳ１０４）。
【００２３】
図３は、メモリに記憶されるテーブルの対応関係を示している。仮に、図１に示すようにポータブルデバイスＡ、Ｂ、Ｃが接続されているとき、テーブルには、ポータブルデバイスのデバイスＩＤ（識別）情報と、そこに記録された各楽曲のタイトル情報が対応付けて記憶される。デバイスＩＤは、ポータブルデバイスの種類（例えば半導体メモリ、ＣＤ／ＤＶＤドライブ装置、ハードディスクドライブ装置）や、ポータブルデバイスの名称または機種名、メーカー名などである。さらに、ポータブルデバイスがＣＤ／ＤＶＤドライブ装置の場合には、オーディオ信号を記録しているＣＤやＤＶＤを識別する必要があるため、ＣＤやＤＶＤのアルバム名、アーティスト名、ボリューム名であってもよい。図３に示すテーブルから、ポータブルデバイスＡには、曲名Ａ１、Ａ２・・・Ａｎが含まれ、ポータブルデバイスＢには、曲名Ｂ１、Ｂ２・・・Ｂｎが含まれ、ポータブルデバイスＣには、曲名Ｃ１、Ｃ２・・・Ｃｎが含まれていることが判別される。便宜上、図３のテーブルは、タイトル情報の一部である曲名のみを示している。
【００２４】
マイクロコントローラ２８は、すべてのポータブルデバイスについて再生可能な楽曲の検索を終了すると、次に、曲名リストを作成する（ステップＳ１０５）。曲名リストは、メモリ２６に記憶されたテーブルを参照して行われ、例えば５０音順に曲名がソートされるように作成される。作成された曲名リストは、ディスプレイ２４に表示される（ステップＳ１０６）。ディスプレイには、例えば、図４(ａ)に示すような曲名リストが表示される。曲名に併せてその他のタイトル情報を表示するようにしてもよい。
【００２５】
ユーザーは、表示された曲名リストを見て、この中から再生を希望する曲名を選択することができる。選択は、入力部２２から行われる。曲名が選択されると、マイクロコントローラ２８は、テーブルを参照し、該当するポータブルデバイスの楽曲のオーディオ信号を読み出し、これを再生する。
【００２６】
一方、マイクロコントローラ２８は、ポータブルデバイスの接続状態を監視する（ステップＳ１０７）。ポータブルデバイスが取り外された場合には（ステップＳ１０８）、メモリ２６のテーブルを参照し、取り外されたポータブルデバイスに含まれる楽曲を特定し（ステップＳ１０９）、マイクロコントローラ２８は、リスト上の曲名の表示をグレーアウトもしくは他と区別されるように表示を変更する（ステップＳ１１０）。図４（ｂ）は、ポータブルデバイスＣが取り外されたときのリストの表示例であり、ポータブルデバイスに含まれる曲名Ｃ２と曲名Ｃ７がグレーアウト表示（図面ではハッチング表示）と表示に変更されている。これにより、ユーザーは、曲名Ｃ２と曲名Ｃ７が未接続状態であることを認識する。
【００２７】
ユーザーがリスト内の未接続状態の曲名を選択しこの楽曲の再生を指示すると（ステップＳ１１１）、マイクロコントローラ２８は、ユーザーに対し、未接続のポータブルデバイスを接続する旨のアナウンスを行う（ステップＳ１１２）。このとき、マイクロコントローラ２８は、テーブルを参照し、未接続のポータブルデバイスのデバイスＩＤを報知する。アナウンスの方法は、例えばディスプレイ２４に、ポータブルデバイスのデバイスＩＤとともにそれを接続する旨を表示したり、スピーカ２０から音声により接続する旨を報知する。デバイスＩＤをアナウンスすることで、ユーザーは、再接続すべきポータブルデバイスを容易に認識することができる。ポータブルデバイスが再接続されると、選択された曲名のオーディオ信号がポータブルデバイスから読み出され、音声再生される。
【００２８】
また、メモリ２６に記憶されたテーブルの内容は、マイクロコントローラ２８によって更新される。新たなポータブルデバイスが接続された場合には、当該ポータブルデバイスのデバイスＩＤとそこに含まれる楽曲のタイトル情報がテーブルに追加される。
【００２９】
一方、未接続のポータブルデバイスの楽曲がいつまでもリストに掲載されると目障りとなるばかりか、メモリ２６の記憶容量が軽減されてしまう。このため、テーブルに登録されたデバイスＩＤやタイトル情報は、ユーザー操作によって、または時間管理によって削除することができる。ユーザー操作により削除する場合には、ユーザーが入力部２２を介してリスト表示の変更を指示する。この指示に応答して、マイクロコントローラ２８は、メモリ２６に記憶されたテーブルの内容を読み出し、これをディスプレイ２４に表示する。ユーザーは、入力部２２を介して、リスト表示に必要のない楽曲のタイトル情報を削除する。デバイスＩＤが削除された場合には、自動的にそこに含まれるすべてのタイトル情報が削除される。また、タイトル情報を削除したことによりデバイスＩＤに含まれるタイトル情報がゼロになった場合にも自動的にデバイスＩＤを削除する。
【００３０】
さらにマイクロコントローラ２８は、ポータブルデバイスが未接続となった時点から一定期間が経過した場合には、自動的に未接続のポータブルデバイスのデバイスＩＤおよびそこに含まれる楽曲のタイトル情報をテーブルから削除する。
【００３１】
次に、本発明の第２の実施例について説明する。第２の実施例では、メモリ２６に、予め主要なメーカーのポータブルデバイスの外観形状を写した画像データを格納しておく。マイクロコントローラ２８は、ポータブルデバイス３０が接続された時、ポータブルデバイスの機種名等を取得し記憶するが、これと同時にポータブルデバイスの機器名に該当する画像データをテーブルに関連付けて記憶する。そして、未接続のポータブルデバイスの再接続のアナウンスを行うとき、ディスプレイ２４に、再接続すべきポータブルデバイスの画像データを表示する。これにより、ユーザーはポータブルデバイスの外観形状を把握し、再接続すべきポータブルデバイスを間違えることなく確実に認識することができる。
【００３２】
仮に、接続されたポータブルデバイスの画像データがメモリ２６に格納されていない場合には、マイクロコントローラは、通信手段を介して、ポータブルデバイスの機器名をキーワードに用い、ネットワークサーバーやデータベースなどから取得するようにしてもよい。さらに、ポータブルデバイスの外観を携帯端末等の撮像装置により撮像し、撮像した画像データにポータブルデバイスの機器名を付与してメモリ２６に格納するようにしてもよい。
【００３３】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００３４】
上記実施例では、オーディオ信号を再生するオーディオ再生装置を例示したが、勿論、オーディオ信号の他にビデオ信号を再生する機能を備えたものであってもよい。さらに本発明は、オーディオ信号のリスト表示のみならず、ビデオ信号のタイトル、例えば映画のタイトル名をリスト表示し、リストからビデオ信号を再生するときに未接続のポータブルデバイスの再接続をアナウンスするようにしてもよい。さらに上記実施例では、ポータブルデバイスを接続するインターフェースとしてＵＳＢを用いたが、これ以外にもＩＥＥＥ１３９４などのインターフェースであってもよい。
【産業上の利用可能性】
【００３５】
本発明は、複数のメディアを接続し、そのメディアに記憶されたオーディオ信号またはビデオ信号を再生するマルチメディア装置に利用される。
【図面の簡単な説明】
【００３６】
【図１】本発明の実施例に係るオーディオ再生装置の構成を示すブロック図である。
【図２】本発明の実施例に係るオーディオ再生装置の動作を説明するフローチャートである。
【図３】メモリに記憶されるポータブルデバイスとタイトル情報の関係を示すテーブルの例である。
【図４】図４（ａ）は曲名のリスト表示であり、図４（ｂ）は未接続のポータブルデバイスの曲名をグレーアウトしたときのリスト表示である。
【符号の説明】
【００３７】
１０：オーディオ再生装置              １２：ＵＳＢコネクタ
１４：ＵＳＢインターフェース          １６：ＤＡＣ
１８：アンプ                          ２０：スピーカ
２２：入力部                          ２４：ディスプレイ
２６：メモリ                          ２８：マイクロコントローラ
３０：ポータブルデバイス
【図１】
0004425213.tif 000002
【図２】
0004425213.tif 000003
【図３】
0004425213.tif 000004
【図４】
0004425213.tif 000005